(57)【要約】【課題】  単管バリケードのスタンド部に、表示体を覆いかぶせて留めることができ、文字や図形など様々な内容を表示する機能を備え、さらにスタンド部からパイプを取り外す作業を行うことなく表示体のみを交換することができるバリケードカバー標識を提供する。【解決手段】  単管バリケード２のスタンド部３に覆い被せることのできる表示体１０に使用目的に応じた文字や図形１９を印刷して表示する。表示面１１の中央下部には開口部１７とスリット１８とが形成されており、スタンド部３にパイプ４を取り付けたままの状態においても表示体１０をそのまま覆いかぶせて留めることがでる。【選択図】図１
2014025325.tif 000002
【特許請求の範囲】
【請求項１】
一対のスタンドと、スタンド間に上下に間隔をおいて平行に渡される２本のパイプからなる単管バリケードのスタンド部を支持体とし、この支持体を台形状に覆うシート材からなる表示体とで構成され、表示体の両側端に複数箇所備えた留め具にて両側端同士を留め合わせ、支持体を覆い外被保持できるようにされ、表示体の中央部にパイプを通す開口部を備え、かつ開口部から表示体の下部まで連なるスリットを備えており、表示体の表面に文字や図形が表示されることを特徴とするバリケードカバー標識。
【発明の詳細な説明】
【技術分野】
【０００１】  本発明は、単管バリケードのスタンド部を利用して、車両走行者や歩行者などに対して注意喚起やガイド表示、広告表示などを行う媒体となるバリケードカバー標識に関するものである。
【背景技術】
【０００２】  一般に、道路工事現場や駐車場などでは、通行の規制範囲を明確にするために、一対のスタンドと、スタンド間に平行に渡される２本のパイプからなる単管バリケードが用いられている。【０００３】  近時、この単管バリケードは、道路や駐車場などで、車両の通行規制範囲を確保するために用いられるほか、イベント会場における来場者の導線確保や、店舗前に行列する来店者の安全確保などにも利用されている。【０００４】  このような単管バリケードの規制範囲を明確にする機能を高めるために、単管バリケードの２本のパイプ部分に矢印板を取り付け表示することが特許文献１あるいは、特許文献２によって知られている。
【先行技術文献】
【特許文献】
【０００５】
【特許文献１】特許公開２０００−３４７６０８号公報
【特許文献２】特許公開２００９−２９９３３１号公報
【発明の概要】
【発明が解決しようとする課題】
【０００６】  しかしながら、前記先行技術にあって、特許文献１、特許文献２共に、プラスチック板を矢印の型に切り抜いた表示体である。したがって、道路工事現場などに設置されることで、車両走行者の注意喚起を行い、車両の通行規制範囲の方向を明確に表示する機能は備えるが、文字や図形など、方向以外の情報を自由に表示する機能は備えておらず、通行規制のみに用途が限定されている。【０００７】  本発明は、このような事情を鑑み、単管バリケードのスタンド部を支持体として、そのスタンド部の周囲を覆うシート材からなる表示体を持ち、表示体の表面に多様な文字や図形を表示できる機能を備えたバリケードカバー標識を提供することを目的とするものである。
【課題を解決するための手段】
【０００８】  前記の目的を達成するために、本発明によるバリケードカバー標識は、一対のスタンドと、スタンド間に上下に間隔をおいて平行に渡される２本のパイプからなる単管バリケードのスタンド部を支持体とし、この支持体を台形状に覆うシート材からなる表示体とで構成され、表示体の両側端に複数箇所備えた留め具にて両側端同士を留め合わせ、支持体を覆い外被保持できるようにされ、表示体の中央部にパイプを通す開口部を備え、かつ開口部から表示体の下部まで連なる切れ目を備えており、表示体の表面に文字や図形が表示されることを特徴とするものである。
【発明の効果】
【０００９】  本発明においては、単管バリケードのスタンド部に所要の情報を表示した表示体を外被して道路などに設置すると、車両走行者や歩行者の進行方向に向かって垂直の方向に表示体の広い面が表示されることになる。こうすることによって、その広い表示面に使用時の状況に応じた表示内容を示すことによって、通行規制の標識として、あるいは、ガイド表示や広告表示の媒体として、様々な状況に応じた様々な情報を提供できるという効果を奏する。また、近時、市場に普及しつつある動物型や人型のスタンドに、それぞれのキャラクターに合った表示体を組み合わせることによって、より効果の高い情報伝達媒体として活用できるという効果を奏する。【００１０】  さらに、本発明では、現場に設置された単管バリケードのスタンド部に、表示体をそのまま覆いかぶせて留めることができるため、スタンド部からパイプを取り外す作業を行うことなく表示体のみを状況に合わせて交換することができる。【００１１】  このように、本発明によれば、単管バリケードを利用して、本来の通行規制や安全確保の機能に加えて、様々な使用状況に合わせたガイド表示や広告表示などの様々な表示を簡便に行うことができるという効果が得られるのである。
【図面の簡単な説明】
【００１２】
【図１】本実施形態のバリケードカバー標識の一具体例全体斜視図
【図２】表示体の組み付け過程を表す斜視図
【図３】表示体の展開図
【発明を実施するための最良の形態】
【００１３】  次に、本発明によるバリケードカバー標識の具体的な実施の形態について、図面を参照しつつ説明する。【００１４】  図１には本実施形態のバリケードカバー標識の一具体例全体斜視図が示されている。図２には表示体の組み付け過程を表す斜視図が、図３には表示体の展開図が、それぞれ示されている。【００１５】  このバリケードカバー標識１は、所要寸法の一対のスタンド３（本発明の支持体に相当）と、その上下に間隔をおいて平行に渡される所要寸法の２本のパイプ４とが接合されてなる単管バリケード２と、この単管バリケード２のスタンド部３を覆い装着される所要の文字・図形などを表示してなる表示体１０とで構成されている。【００１６】  前記表示体１０は、耐水性を備えたシート材（例えば、ターポリンなどの防水布、ラミネートで防水加工された板紙、その他プラスチックシートなど）で、前記単管バリケード２のスタンド前面部３ａを覆い被せることのできる台形に形成された表示面１１と、この表示面１１と巻き付ける方向で折り目線ｂを介して縦長に形成される、スタンド側面部３ｂと同等の幅を持つ接合部１２と接合縁部１３、１４とで形成されている。【００１７】  このようになる表示体１０の接合縁部１３、１４には、所定の間隔で複数の締結用孔１５が形成されており、この締結用孔１５に締結用部材１６（例えば、ハトメ金具やホックなど）をはめ込んで、両接合縁部１３、１４を閉じ合わせ固定できるようにされている。【００１８】  また、表示体１０の表示面１１の中央下部には開口部１７と、この開口部１７から表示面１１の下部まで連なるスリット１８とが形成されており、スタンド部３にパイプ４を取り付けたままの状態においてもスリット１８から開口部１７までパイプ４を通すことが可能であるため、スタンド部３からパイプ４を取り外す作業を行うことなく単管バリケード２に表示体１０をそのまま覆いかぶせて留めることがでる。また、状況に合わせて表示体１０のみを容易に取り替えることもできる。【００１９】  前記表示体１０の表示面１１には、通行の規制表示や注意喚起表示、あるいは、ガイド表示や広告表示など、使用目的に応じた文字や図形１９を印刷して表示する。【００２０】  また、この表示体１０については、その表示面１１の外形を動物型や人型のスタンドに合わせた輪郭に形成してもよい。こうすることで、それぞれのキャラクターの形状に合った表示体１０を組み合わせることができ、例えば、表示体１０に警備服を印刷し人型のスタンドに被せるなど、より効果の高い情報伝達媒体として活用することができる。
【符号の説明】
【００２１】１    バリケードカバー標識
２    単管バリケード
３    スタンド部
３ａ  スタンド前面部
３ｂ  スタンド側面部
４    パイプ
１０  表示体
１１  表示面
１２  接合部
１３、１４    接合縁部
１５  締結用孔
１６  締結用部材
１７  開口部
１８  スリット
１９  表示する文字・図形
ｂ  折り目線
【図１】
2014025325.tif 000003
【図２】
2014025325.tif 000004
【図３】
2014025325.tif 000005